(57)【特許請求の範囲】
【請求項１】
身体の前面に位置し、床面に横になった姿勢で寄り掛かった際に、前記床面との間に位置し、前記身体を横向きの姿勢に維持するための抱き枕型クッションと、
前記抱き枕型クッションの左右の側面に形成され、左右の腕をそれぞれ通す左右一対の腕通し部と、
前記抱き枕型クッションの上端部に位置する下顎載置部と、
衣服への固定部とを備え、
前記左右の腕通し部は、
伸縮性のある素材からそれぞれ形成され、前記腕の肘より中枢側の上腕にそれぞれ通すことができるようにしていることを特徴とする鼾防止具。
【請求項２】
請求項１に記載の鼾防止具であって、
前記固定部は、
前記抱き枕型クッションに一端部が固定されている紐部と、
前記紐部の自由端部に固定され、前記衣服にワンタッチを固定できるクリップとを有し、
前記紐部は、
伸縮性のある素材から形成されていることを特徴とする鼾防止具。
【請求項３】
身体の前面に位置し、床面に横になった姿勢で寄り掛かった際に、前記床面との間に位置し、前記身体を横向きの姿勢に維持するための抱き枕型クッションと、
前記抱き枕型クッションの左右の側面に形成され、左右の腕をそれぞれ通す左右一対の腕通し部と、
前記抱き枕型クッションの上端部に位置する下顎載置部と、
首から吊り下げるための吊下部とを備え、
前記左右の腕通し部は、
伸縮性のある素材からそれぞれ形成され、前記腕の肘より中枢側の上腕にそれぞれ通すことができるようにし、
前記吊下部は、
伸縮性のある素材から形成されていることを特徴とする鼾防止具。
【請求項４】
請求項３に記載の鼾防止具であって、
前記吊下部は、
前記抱き枕型クッションに着脱可能に取り付けられていることを特徴とする鼾防止具。
【請求項５】
請求項３又は請求項４に記載の鼾防止具であって、
前記吊下部は、
前記左右の腕通し部に取り付けられていることを特徴とする請求項３又は請求項４に記載の鼾防止具。
【請求項６】
請求項１〜５のいずれか１項に記載の鼾防止具であって、
前記抱き枕型クッションには、
左右の両肩に掛けるための左右一対の肩掛け部を備えていることを特徴とする鼾防止具。
【発明の詳細な説明】
【０００１】
【発明の属する技術分野】
この発明は、抱き枕型の鼾防止具に関し、自然に抱いた姿勢を維持することができるようにしたものである。
【０００２】
【従来の技術】
従来、抱き枕型の鼾防止具については、次のような技術が既に提案されている。
（１）実開平7-20923号公報、鼾防止用安眠抱き枕
なお、抱き枕型でなく、背枕型であるが、次のような技術も既に提案されている。
【０００３】
（２）特開平11-244317号公報、いびき抑制具
（３）特開2001-61875号公報、クッションの背部固定具
【０００４】
【発明が解決しようとする課題】
しかし、上記した従来の抱き枕では、睡眠状態で、抱いた姿勢を維持することが困難であるという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、左右一対の腕通し部に左右の腕をそれぞれ通しておくことで、左右の腕を身体の前方に維持することができるようにしたものである。
【０００５】
このため、請求項１に記載の発明によれば、側臥位をうながし、舌根沈下による気道の狭窄を防止することができる。
また、請求項１に記載の発明によれば、鼾による睡眠不足や睡眠時無呼吸症候群の原因を解消することができる。
これに加え、請求項１に記載の発明は、左右一対の腕通し部に左右の腕をそれぞれ通しておくことで、寝ている人の体動に追従させることができ、睡眠後も自然に抱いた姿勢を維持することができるようにしたものである。
【０００６】
また、請求項１に記載の発明によれば、抱き枕クッションが身体の前面に位置するので、寝返り等、体の向きを容易に変更することができる。
さらに、請求項１に記載の発明は、下顎載置部に下顎を支えることにより、首が前傾姿勢になることを防ぎ気道を塞ぐことを防止することができるようにしたものである。
【０００７】
また、請求項１に記載の発明は、固定部を介してパジャマ等の衣服に固定することができるようにしたものである。
（請求項２）
請求項２に記載の発明は、上記した請求項１に記載の発明の目的に加え、次の点を目的とする。
【０００８】
すなわち、請求項２に記載の発明は、クリップを使用して衣服にワンタッチを固定できるようにしたものである。
（請求項３）
請求項３に記載の発明は、次の点を目的とする。
すなわち、請求項３に記載の発明は、左右一対の腕通し部に左右の腕をそれぞれ通しておくことで、左右の腕を身体の前方に維持することができるようにしたものである。
【０００９】
このため、請求項３に記載の発明によれば、側臥位をうながし、舌根沈下による気道の狭窄を防止することができる。
また、請求項３に記載の発明によれば、鼾による睡眠不足や睡眠時無呼吸症候群の原因を解消することができる。
これに加え、請求項３に記載の発明は、左右一対の腕通し部に左右の腕をそれぞれ通しておくことで、寝ている人の体動に追従させることができ、睡眠後も自然に抱いた姿勢を維持することができるようにしたものである。
【００１０】
また、請求項３に記載の発明によれば、抱き枕クッションが身体の前面に位置するので、寝返り等、体の向きを容易に変更することができる。
さらに、請求項３に記載の発明は、下顎載置部に下顎を支えることにより、首が前傾姿勢になることを防ぎ気道を塞ぐことを防止することができるようにしたものである。
【００１１】
また、請求項３に記載の発明は、吊下部を介して首から吊り下げることができるようにしたものである。
（請求項４）
請求項４に記載の発明は、上記した請求項３に記載の発明の目的に加え、次の点を目的とする。
【００１２】
すなわち、請求項４に記載の発明は、吊下部を必要に応じて着脱することができるようにしたものである。
（請求項５）
請求項５に記載の発明は、上記した請求項３又は請求項４に記載の発明の目的に加え、次の点を目的とする。
【００１３】
すなわち、請求項５に記載の発明は、左右の腕通し部を利用して吊下部を取り付けることができるようにしたものである。
（請求項６）
請求項６に記載の発明は、上記した請求項１〜５のいずれか１項に記載の発明の目的に加え、次の点を目的とする。
【００１４】
すなわち、請求項６に記載の発明は、左右一対の肩掛け部を介して両肩に背負うことで、背枕としても使用することができるようにしたものである。
【００１５】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１６】
また、図面番号も、発明の実施の形態において用いた図番を示し、本発明の技術的範囲を限定するものではない。
（請求項１）
請求項１に記載の発明は、次の点を特徴とする。
第一に、鼾防止具(100)には、例えば図１〜２に示すように、次の構成を備える。
【００１７】
（１）抱き枕型クッション(110)
抱き枕型クッション(110)は、身体の前面に位置し、床面に横になった姿勢で寄り掛かった際に、床面との間に位置し、身体を横向きの姿勢に維持するためのものである。
（２）左右一対の腕通し部(120)
左右一対の腕通し部(120)は、抱き枕型クッション(110)の左右の側面に形成され、左右の腕をそれぞれ通すものである。
【００１８】
（３）下顎載置部(111)
下顎載置部(111)は、抱き枕型クッション(110)の上端部に位置するものである。
（４）固定部(130)
固定部(130)は、衣服へ固定するためのものである。
【００１９】
第二に、左右の腕通し部(120)は、伸縮性のある素材からそれぞれ形成され、腕の肘より中枢側の上腕にそれぞれ通すことができるようにしている。
（請求項２）
請求項２に記載の発明は、上記した請求項１に記載の発明の特徴点に加え、次の点を特徴とする。
【００２０】
第一に、固定部(130)は、例えば図２に示すように、次の構成を備える。
（１）紐部(131)
紐部(131)は、抱き枕型クッション(110)に一端部が固定されているものである。
（２）クリップ(132)
クリップ(132)は、紐部(131)の自由端部に固定され、衣服にワンタッチを固定できるものである。
【００２１】
第二に、紐部(131)は、伸縮性のある素材から形成されている。
（請求項３）
請求項３に記載の発明は、次の点を特徴とする。
第一に、鼾防止具(100)には、例えば図３〜４に示すように、次の構成を備える。
【００２２】
（１）抱き枕型クッション(110)
抱き枕型クッション(110)は、身体の前面に位置し、床面に横になった姿勢で寄り掛かった際に、床面との間に位置し、身体を横向きの姿勢に維持するためのものである。
（２）左右一対の腕通し部(120)
左右一対の腕通し部(120)は、抱き枕型クッション(110)の左右の側面に形成され、左右の腕をそれぞれ通すものである。
【００２３】
（３）下顎載置部(111)
下顎載置部(111)は、抱き枕型クッション(110)の上端部に位置するものである。
（４）吊下部(140)
吊下部(140)は、首から吊り下げるためのものである。
【００２４】
第二に、左右の腕通し部(120)は、伸縮性のある素材からそれぞれ形成され、腕の肘より中枢側の上腕にそれぞれ通すことができるようにしている。
第三に、吊下部(140)は、伸縮性のある素材から形成されている。
（請求項４）
請求項４に記載の発明は、上記した請求項３に記載の発明の特徴点に加え、次の点を特徴とする。
【００２５】
すなわち、吊下部(140)は、図示しないが、抱き枕型クッション(110)に着脱可能に取り付けられている。
（請求項５）
請求項５に記載の発明は、上記した請求項３又は請求項４に記載の発明の特徴点に加え、次の点を特徴とする。
【００２６】
すなわち、吊下部(140)は、図示しないが、左右の腕通し部(120)に取り付けられている。
なお、吊下部(140)を、左右の腕通し部(120)に着脱可能に取り付けても良い。
（請求項６）
請求項６に記載の発明は、上記した請求項１〜５のいずれか１項に記載の発明の特徴点に加え、次の点を特徴とする。
【００２７】
すなわち、抱き枕型クッション(110)には、例えば図５〜６に示すように、左右の両肩に掛けるための左右一対の肩掛け部(150)を備える。
【００２８】
【発明の実施の形態】
（図面の説明）
図１〜２は、本発明の第一の実施の形態の一例をそれぞれ示すものである。
図１は、鼾防止具の使用状態の斜視図、図２は鼾防止具の斜視図をそれぞれ示すものである。
【００２９】
図３〜４は、本発明の第二の実施の形態の一例をそれぞれ示すものである。
図３は、鼾防止具の使用状態の斜視図、図４は鼾防止具の斜視図をそれぞれ示すものである。
（鼾防止具100）
図１及び図２中、100は、鼾防止具を示すものである。
【００３０】
上記鼾防止具100は、図２に示すように、大別すると、次のパーツを備える。
（１）抱き枕型クッション110
（２）左右一対の腕通し部120
（３）固定部130
なお、鼾防止具100のパーツは、上記した（１）〜（３）に限定されない。
（抱き枕型クッション110）
抱き枕型クッション110は、身体の前面に位置し、床面に横になった姿勢で寄り掛かった際に、床面との間に位置し、前記身体を横向きの姿勢に維持するためのものである。
【００３１】
上記抱き枕型クッション110の上端部には、図１に示すように、下顎を載せるための下顎載置部111を有する。
具体的には、抱き枕型クッション110は、図２に示すように、下顎載置部111を形成する場合には、ほぼ円柱形に形成し、図示しないが、例えば袋内にスポンジを適量、詰め込んで形成している。
【００３２】
なお、抱き枕型クッション110の形状は、ほぼ円柱形に限定されず、多角形型、或いはぬいぐるみ型でも良い。
（腕通し部120）
腕通し部120は、図１及び図２に示すように、抱き枕型クッション110の左右の側面に形成され、左右の腕をそれぞれ通すものである。
【００３３】
上記各腕通し部120には、腕の上腕又は前腕を通すことができるようにしている。好ましくは、各腕通し部120には、腕の肘より中枢側、すなわち上腕を通すのが良い。
具体的には、腕通し部120は、ゴム等のように伸縮性のある素材から形成されている。
【００３４】
なお、伸縮性のある素材は、ゴムに限定されない。また、腕通し部120は、伸縮性のない素材から形成しても良い。
（固定部130）
固定部130は、抱き枕型クッション110をパジャマ等の衣服（図示せず）に固定するためのものである。
【００３５】
上記固定部130は、図２に示すように、大別すると、次のパーツを有する。
なお、固定部130のパーツは、次の（１）〜（２）に限定されない。
（１）紐部131
紐部131は、図２に示すように、抱き枕型クッション110に一端部が固定されている。
【００３６】
上記紐部131は、ゴム等のように伸縮性のある素材から形成されている。
なお、伸縮性のある素材は、ゴムに限定されない。また、紐部131は、伸縮性のない素材から形成しても良い。
（２）クリップ132
クリップ132は、図２に示すように、紐部131の自由端部に固定され、パジャマ等の衣服（図示せず）にワンタッチを固定できるようになっている。
【００３７】
なお、クリップ132を省き、紐部131の自由端部をパジャマ等の衣服（図示せず）に直接、結び付けるようにしても良い。
また、クリップ132に限定されず、フック、面ファスナー、ボタンホール、ボタン等を使用しても良い。
（第二の実施の形態）
図３〜４を用いて、本発明の第二の実施の形態の一例を、以下に説明する。
【００３８】
本実施の形態の特徴は、図３に示すように、吊下部140を介して、抱き枕型クッション110を首から吊り下げることができるようにした点にある。
上記吊下部140は、図３に示すように、抱き枕型クッション110を首から吊り下げるためのものである。
吊下部140は、ゴム等のように伸縮性のある素材から形成されている。
【００３９】
なお、伸縮性のある素材は、ゴムに限定されない。また、吊下部140は、伸縮性のない素材から形成しても良い。
吊下部140は、図示しないが、抱き枕型クッション110に着脱可能に取り付けても良い。
具体的には、図示しないが、フック、面ファスナー、ボタンホール、ボタン等を利用して、吊下部140を抱き枕型クッション110に取り付けることで、取り外しも容易に行える。
【００４０】
また、吊下部140は、図示しないが、左右の腕通し部120に取り付けても良い。
このとき、吊下部140を、左右の腕通し部120に着脱可能に取り付けても良い。
具体的には、吊下部140を紐状として、その両自由端部を左右の腕通し部120に通してそれぞれ結んで取り付けるようにしても良い。こうすれば、結び目を解くことで、吊下部140を取り外すことができる。
【００４１】
なお、吊下部140を腕通し部120に結ぶほか、図示しないが、フック、面ファスナー、ボタンホール、ボタン等を利用して、吊下部140を腕通し部120に着脱可能に取り付けても良い。
また、吊下部140の取付方法は、腕通し部120に一連、或いは連なるように取り付けても良い。
【００４２】
一方、取り外した吊下部140を、抱き枕型クッション110に形成したポケット等に収納することができるようにしても良い。
【００４３】
【発明の効果】
本発明は、以上のように構成されているので、以下に記載されるような効果を奏する。
（請求項１）
請求項１に記載の発明によれば、次のような効果を奏する。
【００４４】
すなわち、請求項１に記載の発明によれば、左右一対の腕通し部に左右の腕をそれぞれ通しておくことで、左右の腕を身体の前方に維持することができる。
このため、請求項１に記載の発明によれば、側臥位をうながし、舌根沈下による気道の狭窄を防止することができる。
また、請求項１に記載の発明によれば、鼾による睡眠不足や睡眠時無呼吸症候群の原因を解消することができる。
【００４５】
これに加え、請求項１に記載の発明によれば、左右一対の腕通し部に左右の腕をそれぞれ通しておくことで、寝ている人の体動に追従させることができ、睡眠後も自然に抱いた姿勢を維持することができる。
また、請求項１に記載の発明によれば、抱き枕クッションが身体の前面に位置するので、寝返り等、体の向きを容易に変更することができる。
【００４６】
さらに、請求項１に記載の発明によれば、下顎載置部に下顎を支えることにより、首が前傾姿勢になることを防ぎ気道を塞ぐことを防止することができる。
また、請求項１に記載の発明によれば、固定部を介してパジャマ等の衣服に固定することができる。
（請求項２）
請求項２に記載の発明によれば、上記した請求項１に記載の発明の効果に加え、次のような効果を奏する。
【００４７】
すなわち、請求項２に記載の発明によれば、クリップを使用して衣服にワンタッチを固定できるようにしたものである。
（請求項３）
請求項３に記載の発明によれば、次のような効果を奏する。
すなわち、請求項３に記載の発明によれば、左右一対の腕通し部に左右の腕をそれぞれ通しておくことで、左右の腕を身体の前方に維持することができるようにしたものである。
【００４８】
このため、請求項３に記載の発明によれば、側臥位をうながし、舌根沈下による気道の狭窄を防止することができる。
また、請求項３に記載の発明によれば、鼾による睡眠不足や睡眠時無呼吸症候群の原因を解消することができる。
これに加え、請求項３に記載の発明によれば、左右一対の腕通し部に左右の腕をそれぞれ通しておくことで、寝ている人の体動に追従させることができ、睡眠後も自然に抱いた姿勢を維持することができるようにしたものである。
【００４９】
また、請求項３に記載の発明によれば、抱き枕クッションが身体の前面に位置するので、寝返り等、体の向きを容易に変更することができる。
さらに、請求項３に記載の発明によれば、下顎載置部に下顎を支えることにより、首が前傾姿勢になることを防ぎ気道を塞ぐことを防止することができるようにしたものである。
【００５０】
また、請求項３に記載の発明によれば、吊下部を介して首から吊り下げることができるようにしたものである。
（請求項４）
請求項４に記載の発明によれば、上記した請求項３に記載の発明の効果に加え、次のような効果を奏する。
【００５１】
すなわち、請求項４に記載の発明によれば、吊下部を必要に応じて着脱することができるようにしたものである。
（請求項５）
請求項５に記載の発明によれば、上記した請求項３又は請求項４に記載の発明の効果に加え、次のような効果を奏する。
【００５２】
すなわち、請求項５に記載の発明によれば、左右の腕通し部を利用して吊下部を取り付けることができるようにしたものである。
（請求項６）
請求項６に記載の発明によれば、上記した請求項１〜５のいずれか１項に記載の発明の効果に加え、次のような効果を奏する。
【００５３】
すなわち、請求項６に記載の発明によれば、左右一対の肩掛け部を介して両肩に背負うことで、背枕としても使用することができる。
【図面の簡単な説明】
【図１】  本発明の第一の実施の形態の一例を示し、同図は鼾防止具の使用状態の斜視図である。
【図２】  図１に示す鼾防止具の斜視図である。
【図３】  本発明の第二の実施の形態の一例を示し、同図は鼾防止具の使用状態の斜視図である。
【図４】  図３の鼾防止具の斜視図である。
【符号の説明】
（第一の実施の形態）
100  鼾防止具           110  抱き枕型クッション
111  下顎載置部         120  腕通し部
130  固定部             131  紐部
132  クリップ
（第二の実施の形態）
140  吊下部
【図１】
0003756087.tif 000002
【図２】
0003756087.tif 000003
【図３】
0003756087.tif 000004
【図４】
0003756087.tif 000005